(57)【要約】【課題】簡単な構成で防盗機能を得ることができるとともに、物品の収納性を向上できる物品販売機を提供する。【解決手段】キャビネット４の内部に設けられ、物品を収納する棚１３ａ〜１３ｆが上下方向に複数並べて配置された物品収納部６と、操作ユニットからの販売指令に基づいて物品収納部６の棚１３ａ〜１３ｆに収納されている物品を前方に搬出する搬出機構１４と、キャビネット４の内部の物品収納部６の前方に上下方向に移動可能に配置され、搬出機構１４によって棚１３ａ〜１３ｆから前方に搬出された物品を受けて、キャビネット４に設けられた物品取出口１１に移動するバケット３０と、を備えた物品販売機１であって、バケット３０の上方に配置され、バケット３０に上下方向に移動可能に支持された天板３２を備える。【選択図】図２
2020035323.tif 000002
【特許請求の範囲】
【請求項１】
箱状のキャビネットの内部に設けられ、物品を収納する棚が上下方向に複数並べて配置された物品収納部と、
販売指令に基づいて前記物品収納部に収納されている物品を前記棚から前方に搬出する搬出機構と、
前記キャビネットの内部の前記物品収納部の前方に上下方向に移動可能に配置され、前記搬出機構によって前記物品収納部から前方に搬出された物品を受け入れて、前記キャビネットの前記物品収納部の下方に設けられた取出口に搬送するバケットと、を備えた物品販売機であって、
前記バケットの上方に配置され、前記バケットに上下方向に所定範囲移動可能に支持された天板を備えたことを特徴とする物品販売機。
【請求項２】
前記バケットに対して前記天板を所定位置まで上方に付勢する付勢部を備えたことを特徴とする請求項１に記載の物品販売機。
【請求項３】
前記天板は、前記バケットが前記販売指令を待機する待機状態において、前記物品収納部における最下段の前記棚の前端部よりも下方に位置することを特徴とする請求項１に記載の物品販売機。
【請求項４】
前記天板は、前記バケットが前記販売指令を待機する待機状態において、前記物品収納部における最下段の前記棚の前端部よりも下方に位置することを特徴とする請求項２に記載の物品販売機。
【請求項５】
前記バケットが上方へ移動して前記天板が最も上方に到達した後に、前記バケットは更に上方に移動可能であることを特徴とする請求項１から３のいずれか１項に記載の物品販売機。
【請求項６】
前記天板の後部は、後方に向かって上方に傾斜していることを特徴とする請求項１から５のいずれか１つに記載の物品販売機。
【請求項７】
前記天板は、上方へ力を受けた際に、前記バケットに対して前記所定位置よりも上方に移動可能であり、
前記バケットが前記待機状態において、前記物品収納部における最下段の前記棚の底面より上方への前記天板の移動を規制する移動規制部を備えたことを特徴とする請求項４に記載の物品販売機。
【発明の詳細な説明】
【技術分野】
【０００１】
本発明は、物品を自動的に販売する物品販売機において、収納している物品を物品取出口に搬出する物品搬出構造に関する。
【背景技術】
【０００２】
箱状のキャビネット内に設けられた棚に複数の種類の物品を収納し、購入者が選択した物品を自動的に搬出する構成の物品販売機が使用されている。例えば、特許文献1に記載された物品販売機（自動販売機）では、キャビネット内に上下方向に複数並べて配置された棚の前方を上下方向に移動するバケット(キャッチャーバケット)を備え、購入者が選択した物品を搬出機構によって棚から前方に押し出し、当該棚の前方に移動したバケットに物品を搬出する。そして、物品を載せたバケットを物品販売機の下部に設けられた物品取出口に相対する下方位置まで移動して、当該物品取出口から購入者が物品を取り出すことが可能な構造となっている。
【０００３】
更に、特許文献１には、棚に収納され購入されていない物品を物品取出口から取り出されないように、防盗板が備えられている。防盗板は、最下段の棚の下部前方に設けられ、バケットが下方位置である状態では閉塞して施錠され、物品取出口の扉を開いて手や棒等を入れても棚に到達できない構造となっている。
【先行技術文献】
【特許文献】
【０００４】
【特許文献１】特開２００８−１７６４９７号公報
【発明の概要】
【発明が解決しようとする課題】
【０００５】
しかしながら、特許文献１では、防盗板を作動及び施錠するアクチュエータを含む防盗板の作動機構を備える必要があり、バケットの移動等に合わせてこのアクチュエータを作動制御する必要がある。また、防盗板の作動機構によって、物品販売機の下部の構造が複雑化するといった問題点がある。
【０００６】
一方、物品販売機においては、上下方向に比較的大きな物品を収納している場合には、バケットに物品を受け入れるために上下方向に大きな受け入れ空間を必要とする。しかしながら、バケットの受け入れ空間を上下方向に大きくすると、キャビネット内の上部でバケットの受け入れ空間を確保するためにバケットの上方への移動が規制され、最上段の棚をキャビネット内で上方に設置することができず、物品の収納スペースが制限されてしまうといった問題点がある。
【０００７】
本発明は、以上のような問題点に鑑みてなされたものであって、簡単な構成で防盗機能を得ることができるとともに、必要に応じてバケットの受け入れ空間を上下方向に拡大縮小して、物品の収納性を向上できる物品販売機を提供することを目的とする。
【課題を解決するための手段】
【０００８】
上記課題を解決するために、本発明の物品販売機は、箱状のキャビネットの内部に設けられ、物品を収納する棚が上下方向に複数並べて配置された物品収納部と、販売指令に基づいて前記物品収納部に収納されている物品を前記棚から前方に搬出する搬出機構と、前記キャビネットの内部の前記物品収納部の前方に上下方向に移動可能に配置され、前記搬出機構によって前記物品収納部から前方に搬出された物品を受け入れて、前記キャビネットの前記物品収納部の下方に設けられた取出口に搬送するバケットと、を備えた物品販売機であって、前記バケットの上方に配置され、前記バケットに上下方向に所定範囲移動可能に支持された天板を備えたことを特徴とする。
【０００９】
好ましくは、前記バケットに対して前記天板を所定位置まで上方に付勢する付勢部を備える。
【００１０】
好ましくは、前記天板を、前記バケットが前記販売指令を待機する待機状態において、前記物品収納部における最下段の前記棚の前端部よりも下方に位置させる。
【００１１】
好ましくは、前記バケットが上方へ移動して前記天板が最も上方に到達した後に、前記バケットは更に上方に移動可能である。
【００１２】
好ましくは、前記天板の後部を、後方に向かって上方に傾斜させる。
【００１３】
好ましくは、前記天板は、上方へ力を受けた際に、前記バケットに対して前記所定位置よりも上方に移動可能であり、前記バケットが前記待機状態において、前記物品収納部における最下段の前記棚の底面より上方への前記天板の移動を規制する移動規制部を備える。
【発明の効果】
【００１４】
本発明によれば、バケットの上方に天板が設けられているので、バケットが取出口に相対した位置では、取出口からバケット内に手や棒等を侵入させても天板によって遮られ、バケットの上部に位置する物品収納部から物品を盗むことが困難となる。したがって、簡単な構造で防盗機能を得ることができる。
【００１５】
また、天板が上下方向に移動可能であるので、必要に応じてバケットの受け入れ空間を上下方向に拡大縮小できる。したがって、キャビネット内でバケットをより上方へ移動させることができ、キャビネット内の最上段の棚を上方に配置して物品の収納スペースを上方に拡大し、物品の収納性を向上させることができる。
【図面の簡単な説明】
【００１６】
【図１】本実施形態の物品販売機の概略外部形状を示す斜視図である。
【図２】本実施形態の物品販売機の内部構造を示す縦断面図である。
【図３】バケットの構造を示す斜視図である。
【図４】天板が所定位置に位置する状態におけるバケットの側面図である。
【図５】天板の押し上げ状態におけるバケットの側面図である。
【図６】天板の押し下げ状態におけるバケットの側面図である。
【図７】物品の取出時における物品取出口内部の構造を示す縦断面図である。
【図８】最下段の棚からバケットに物品を搬出するときの状態を説明するバケット付近の縦断面図である。
【図９】他の実施形態のバケットの底板の後部の形状を示す部分正面図である。
【図１０】最上段の棚から物品を搬出するときの状態を説明するバケット付近の縦断面図である。
【図１１】本体ユニットの内部における冷却風の循環を説明するための縦断面図である。
【図１２】本体ユニットの前下内部における冷却風の循環を説明するための拡大縦断面図である。
【発明を実施するための形態】
【００１７】
以下、本発明の実施形態について、図面を参照して詳細に説明する。
【００１８】
図１は、本実施形態の物品販売機の概略外部形状を示す斜視図である。図２は、物品販売機の内部構造を示す縦断面図である。
【００１９】
図１に示すように、物品販売機１は、物品を収納する本体ユニット２と、操作ユニット３を備えている。
【００２０】
本体ユニット２は、前面を開口した箱型に形成され、前面開口を覆うドア５を備えた箱状のキャビネット４を有している。また、キャビネット４の内部には、物品を収納する物品収納部６が設けられている。
【００２１】
操作ユニット３は、本体ユニット２の側方に隣接して配置され、物品の選択スイッチと、紙幣、硬貨等の受容や釣銭の払い出し、あるいは電子マネー等による料金の決済を行う課金部とを備えている。操作ユニット３は、課金部において料金の決済が行われ、選択スイッチにより物品の選択操作がされることで、販売指令を本体ユニット２に送信する。
【００２２】
図１、２に示すように、本体ユニット２のドア５の前面上部には、透明のガラスや樹脂によって形成された透明板１０によって内部が視認可能な構成になっている。ドア５の下部には、矩形状の物品取出口１１(取出口)が備えられている。物品取出口１１には、矩形板状の取出口シャッター１２が設けられている。取出口シャッター１２は、物品取出口１１の上部縁部に前後方向に揺動可能に支持されている。取出口シャッター１２は、上下方向に延びる閉塞位置で物品取出口１１を閉塞し、この閉塞位置から下部を後方に揺動させることで、物品取出口１１が開口する。
【００２３】
キャビネット４の内部の物品収納部６は、上下方向に間隔をおき、前部を開口した複数個（例えば６個）の棚１３ａ〜１３ｆが配置されて構成されている。物品収納部６における最下段の棚１３ｆは上下方向に収納空間が大きく、例えば５００ｍｌのペットボトル飲料のように上下方向に比較的大きい物品を収納する一方、最上段の棚１３ａは上下方向に収納空間が小さく、比較的小さい物品を収納する。また、夫々の棚１３ａ〜１３ｆには、左右方向に並べて複数個の搬出機構１４が備えられている。搬出機構１４は、例えばスパイラル状の金属棒を回転させる機構やベルトコンベアによって構成されている。棚１３ａ〜１３ｆには、搬出機構１４毎に前後方向に並べて物品が収納されており、任意の搬出機構１４の作動によって、１つずつ棚１３ａ〜１３ｆの前方に押し出されるようにして搬出される。
【００２４】
棚１３ａ〜１３ｆの前端部とドア５の前面である透明板１０との間には、バケット３０が移動するスペース（以降、バケット移動空間２１と言う）が設けられている。
【００２５】
バケット３０は、棚１３ａ〜１３ｆの左右方向と略同一の長さで構成され、バケット移動空間２１を上下方向に移動可能に配置されている。バケット３０は、キャビネット４の内部に設けられた図示しないアクチュエータによって上下方向に移動し、バケット３０の底板３１の後端部が各棚１３ａ〜１３ｆの底板と略同一の高さとなる位置に移動可能であるとともに、最下方に移動した際に後述するバケット３０の天板３２が最下段の棚１３ｆの底面よりも下方に位置するように移動可能となっている。なお、最下方に移動したバケット３０の位置が待機・取出位置であり、この待機・取出位置において、バケット３０の前面に物品取出口１１が位置し、取出口シャッター１２を開けることで、バケット３０内に手を入れることが可能となっている。
【００２６】
本体ユニット２の内部には、物品収納部６の下方に機械室２２が備えられている。機械室２２には、冷媒を循環させる冷却機器における凝縮器２３ａ、凝縮器用のファン２３ｂ、圧縮機２３ｃが備えられている。機械室２２の前部及び後部は、外部と連通している。また、機械室２２と最下段の棚１３ｆとの間には、下部ダクト２４が備えられている。下部ダクト２４には、冷却機器における蒸発器及２３ｄ及び蒸発器２３ｄ用のファン２３ｅが備えられている。ファン２３ｅは、下部ダクト２４の前方から後方に向けて蒸発器２３ｄを通過させる空気の流れを発生させる。なお、機械室２２を除くキャビネット４の内部には、と外部との熱交換を抑制するために断熱材が設けられている。また、ドア５の透明板１０については、断熱性の高いものが望ましい。
【００２７】
下部ダクト２４の後部は、物品収納部６の後方を上下方向に延びる後部ダクト２５と連通している。更に物品収納部６の上方には、前後方向に延びる上部ダクト２６が備えられている。
【００２８】
上部ダクト２６の前方の開口部は、バケット移動空間２１の上部に向けて開口している。更に、上部ダクト２６の前方の開口部の上部縁部には、前方に向かって下方に例えば４５度の角度で傾斜する導風板２７が設けられている。
【００２９】
一方、下部ダクト２４の前端部には、バックパネル２８が設けられている。バックパネル２８は、上下方向に延びて、下部ダクト２４とその前方のバケット移動空間２１とを区画する。更に、バックパネル２８の上部は、上方に向かって後方に傾斜する傾斜部２８ａと、傾斜部２８ａの上端から後方に向かって例えば数ｃｍ延びた上向部２８ｂとを有している。傾斜部２８ａと上向部２８ｂには、複数の通気孔２８ｃが設けられている。なお、通気孔２８ｃは、傾斜部２８ａと上向部２８ｂのほぼ全域に亘って、例えば略１ｃｍ間隔で前後左右に複数個並べて設けられた直径数ｍｍ程度の穴である。
【００３０】
図３は、バケット３０の構造を示す斜視図である。図４〜６は、バケット３０の側面図である。図４は天板３２が所定位置に位置する状態、図５は天板３２の押し上げ状態、図６は天板３２の押し下げ状態を示す。
【００３１】
図３〜６に示すように、バケット３０は、左右一対の側板３３と、左右の側板３３を接続し左右方向に延びる底板３１と、側板３３に上下方向に移動可能に支持される天板３２と、を備えている。
【００３２】
側板３３は上下方向に延びる略矩形状の板部材である。側板３３は、キャビネット４の左右側面の前部内側に設けられた図示しないガイドレールに後部が支持されており、キャビネット４に対して上下方向に移動可能に配置されている。
【００３３】
底板３１は、側板３３の前下端部から側板３３の下端部近傍を後端部まで後方に延びるように構成されている。また、底板３１の前端部は上方に屈曲して側板３３の前下端部を上下方向に延びる底板前部３１ａを備えている。底板３１は、後方に延びるに伴って上方に傾斜している。更に、底板３１の左右端部３１ｂは、夫々左右方向外方の側板３３に向かって上方に傾斜している。
【００３４】
天板３２の左右前端部は、上下方向に延びるスライドレール３４及びスプリングシャフト３５を介して左右の側板３３に支持されている。天板３２は、例えば透明あるいは半透明の樹脂で形成され、左右長さが棚１３ａ〜１３ｆの左右長さと略同一である矩形状の板部材である。天板３２は、前端部から後方に水平方向に延び、例えば前後方向長さの1/3程度の後部３２ａが後方に向かって上方に１５度程度傾斜している。天板３２の後端は、棚１３ａ〜１３ｆの前端に近接する位置まで後方に延びている。また、この天板３２の傾斜した後部３２ａのほぼ全域に亘って、例えば直径数ｍｍ程度の通気孔３６が略１ｃｍ間隔で前後左右に複数個並べて設けられている。
【００３５】
また、天板３２の前端部には、前板３７が支持されている。前板３７は、例えば透明あるいは半透明の樹脂で形成された板部材である。前板３７は、天板３２と左右方向長さが略同一であり、天板３２の前端部下面を揺動中心として、左右のスライドレール３４の間を前後方向に揺動可能に天板３２に支持されている。前板３７は、左右の側板３３に夫々設けられたストッパ３８により、上下方向に延びる位置より前方への移動が規制される。なお、このストッパ３８により前方への移動が規制された状態で、前板３７と透明板１０とは前後方向に数ｃｍ離間している。
【００３６】
スライドレール３４の下部は、左右の側板３３の前端部の左右外側に夫々支持されている。スプリングシャフト３５は、スライドレール３４の後方に隣接してスライドレール３４と平行に夫々配置されている。スプリングシャフト３５の下部は、側板３３に設けられたシャフトガイド３９によって、側板３３に上下方向に移動可能に支持されている。一方、スライドレール３４の上端部及びスプリングシャフト３５の上端部は、天板３２に固定されている。
【００３７】
スプリングシャフト３５は、円筒状のガイドスプリング４０（付勢部）に挿入されている。ガイドスプリング４０は、コイル状のスプリングであり、シャフトガイド３９と天板３２との間に配置され、圧縮方向に荷重が作用することで下方に縮む。天板３２は下方向に荷重が作用することで、側板に３３に対して下方に移動可能である。
【００３８】
図４に示すように、天板３２の自重によって側板３３に対し天板３２が下方に移動しようとするが、ガイドスプリング４０の上方への付勢力と釣り合って下方への移動が規制され、側板に３３に対する天板３２の上下位置が規定される。なお、このバケット３０の底板３１に対する天板３２の上下位置が本発明の所定位置に該当する。この所定位置において、天板３２が側板３３の上端部よりも所定距離（例えば５〜１０ｃｍ）上方に位置するように、スプリングシャフト３５及びガイドスプリング４０の上下長さが設定されている。
【００３９】
図５に示すように、所定位置から天板３２を押し上げたときには、側板３３に対して天板３２は所定位置よりも上方に移動する。但し、スライドレール３４には上方への移動を規制するストッパ４１（移動規制部）が備えられている。このように天板３２を押し上げたときに、天板３２は所定位置よりも数ｃｍ程度上方に移動可能に設定されている。
【００４０】
図６に示すように、所定位置から天板３２を押し下げたときには、天板３２がガイドスプリング４０を圧縮し、側板３３に対して天板３２が所定位置よりも下方に移動する。なお、バケット３０を上下方向に移動させるアクチュエータによってバケット３０を上方に移動させ、天板３２をキャビネット４の上壁４ａに上方に向かって押し付けた際に、天板３２が側板３３の上端部まで下方に移動するように、ガイドスプリング４０のばね定数が設定されている。
【００４１】
図７は、物品Ｃの取出時における物品取出口１１内部の構造を示す縦断面図である。
【００４２】
図７に示すように、棚１３ａ〜１３ｆから搬出された物品Ｃを載せたバケット３０を最下方の待機・取出位置に位置させたときに、購買者が取出口シャッター１２を後方に押すことで、バケット３０に乗せている物品Ｃを取り出すことができる。このとき、取出口シャッター１２の下端が物品Ｃに干渉しないように、バケット３０の上下位置や取出口シャッター１２の上下長さが設定されている。バケット３０が待機・取出位置に到着して取出口シャッター１２を開けていない状態では、バケット３０に対して所定位置である天板３２は、最下段の棚１３ｆの底板の前端部４２よりも下方に位置するように設定されている。
【００４３】
そして、取出口シャッター１２を後方に押して開けることで、取出口シャッター１２の後面に設けている突出部１２ａによって天板３２を押して上方に移動させることで、取出口シャッター１２を十分に上方に揺動させることができ、バケット３０上の物品Ｃを容易に取り出すことが可能となる。
【００４４】
なお、棚１３ａ〜１３ｆの前端部４２には、棚番号や価格等が記載されている。また、購入操作をしていない待機状態では、図７に示すようにバケット３０は最下方の待機・取出位置に位置する。したがって、購入操作をする前の販売指令を待機する待機状態においては、天板３２が棚１３ｆの底板の前端部４２よりも下方に位置し、前端部４２に記載されている棚番号や価格等を視認することができる。
【００４５】
一方、天板３２が取出口シャッター１２の開扉に伴い押し上げられたときには、天板３２と最下段の棚１３ｆの底板の前端部４２と上下位置が重なってもよい。このように、取出口シャッター１２を開いたときには、既に物品Ｃの購入を決定しているので、前端部４２に記載されている棚番号や価格等について、天板３２によって視認性が低下したり見えなくなったりしてもよい。
【００４６】
更に、取出口シャッター１２は、図示しないロック機構により、購入者が物品Ｃを取り出すことが可能なとき以外には開くことができないように構成されているとよい。
【００４７】
図８は、最下段の棚１３ｆからバケット３０に物品Ｃを搬出するときの状態を説明するバケット３０付近の縦断面図である。
【００４８】
上記のように天板３２が側板３３の上端部よりも所定距離上方に位置することで、バケット３０の底板３１と天板３２とが上下方向に大きく離間しており、更には天板３２の後部３２ａが後方に向かって上方に傾斜しているので、例えば最下段の棚１３ｆに５００ｍｌのペットボトル飲料のように上下方向に比較的大きい物品が収納されていても、当該棚１３ｆから物品Ｃを前方に搬出したときに、物品Ｃが天板３２に引っ掛かり難くなる。また、天板３２と底板３１の後端部との上下間隔が、物品Ｃの上下長さと同等あるいはわずかに狭くても、天板３２の後部３２ａが傾斜していることで、天板３２の特に後部３２ａに接触した物品Ｃの上部を左右方向に滑動させて、物品Ｃをバケット３０内に受け入れ易くすることができる。
【００４９】
なお、図９に示すように、例えば搬出機構１４毎にその左右方向の位置に対応して、天板３２の後部３２ａを含む後部に溝４３を設けるとよい。この溝４３は、バケット３０の天板３２と底板３１との間に押し出されてきた物品Ｃのキャップ等の上端部を、図９中の矢印に示すように左右方向のいずれか一方に導いて、物品Ｃをバケット３０内に左右方向に向けて転倒させるように設けられる。これにより、例え天板３２とバケット３０の底板３１との上下方向の間隔が短くても、上下方向に大きな物品をバケット３０内に左右方向に向けて倒すことができ、バケット３０への物品Ｃの受け入れ性を向上させることができる。
【００５０】
図１０は、最上段の棚１３ａから物品を搬出するときのバケット３０の状態を説明するための縦断面図である。
【００５１】
図１０に示すように、バケット３０が最上段の棚１３ａの位置まで上方に移動させようとすると、天板３２がドア５あるいはキャビネット４の上壁４ａに干渉する可能性がある。しかしながら、本実施形態では、図６に示すように、ガイドスプリング４０が圧縮することでバケット３０の底板３１と天板３２との上下間隔を短くすることができる。即ち、バケット３０を上方へ移動させて、天板３２がキャビネット４の上壁４ａに干渉する位置（天板３２の最上方位置）に到達しても、ガイドスプリング４０が圧縮することで、バケット３０が更に上方の最上段の棚１３ａの位置まで移動可能である。したがって、バケット３０の最上段の棚１３ａから物品Ｃをバケット３０に搬出しようとしてバケット３０を最上段まで移動させた際に、キャビネット４内に天板３２を受け入れるための空間を大きく確保する必要がない。
【００５２】
以上のように、本実施形態の物品販売機１では、バケット３０は、通常、最下方の待機・取出位置に待機している。そして、操作ユニット３から販売指令に基づいて、バケット３０は選択された物品Ｃを収納する棚１３ａ〜１３ｆの上下位置に移動する。そして、選択された物品Ｃを搬出機構１４によって棚１３ａ〜１３ｆから前方のバケット３０に押し出す。それから、バケット３０は最下方の待機・取出位置に戻り、購買者が取出口シャッター１２を後方に押して、バケット３０に載っている物品Ｃを取り出すことができる。
【００５３】
本実施形態においては、バケット３０の上方に天板３２が設けられているので、バケット３０が待機・取出位置に位置するときには、例え取出口シャッター１２を開いて本体ユニット２の内部に手や棒等の器具を侵入させても、天板３２によって遮られて最下段の棚１３ｆに届くことができない。したがって、棚１３ａ〜１３ｆに収納されている物品の盗難を防止することができる。
【００５４】
また、天板３２がバケット３０の底板３１に対し上下方向に移動できるので、通常はバケット３０の底板３１に対して天板３２を上方に位置させて、上下方向に大きい物品Ｃを後方からバケット３０に受け取ることができる一方、バケット３０を最上段の棚１３ａの位置まで移動した際に天板３２を受け入れるために、本体ユニット２を上方に大きくする必要がない。このように、天板３２がバケット３０の底板３１に対して上下方向に移動可能とすることで、物品Ｃの受け入れ及び搬送に必要最小の空間を確保しつつ、必要に応じてバケット３０の受け入れ・移動に必要とする空間を拡大、縮小することが可能となる。したがって、本体ユニット２の上下寸法をコンパクトに抑えた上で最上段の棚１３ａをキャビネット４内で極力上方に位置させ、物品収納部６の上下大きさを大きく確保して物品の収納性を向上させることができる。
【００５５】
なお、天板３２は、バケット３０に対して所定位置よりも上方へ移動可能であるものの、ストッパ４１によって上方への移動が規制され、バケット３０が待機・取出位置に位置した際に天板３２が最下段の棚１３ｆの底板よりも上方には移動しないように設定されている。これにより、待機・取出位置において例え天板３２を上方に押して移動させたとしても棚１３ａ〜１３ｆに収納されている物品の盗難を防止することができる。
【００５６】
また、バケット３０には天板３２を上方に付勢するガイドスプリング４０を備えているので、天板３２に荷重が作用しない状態で、ガイドスプリング４０の長さによってバケット３０の底板３１と天板３２との間の距離が一定に維持される。これにより、バケット３０への物品Ｃの受け入れ性を確保することができる。また、バケット３０の上方の棚１３ａ〜１３ｆから物品Ｃが天板３２の上に落下しても、ガイドスプリング４０によって衝撃を吸収するので、物品Ｃの破損や飛散を防止することができる。また、バケット３０内に搬出、搬送途中の物品Ｃ（商品）が存在するときでも、棚１３ａ〜１３ｆから落下した物品Ｃがバケット３０内に存在する商品と衝突することを防止し、バケット３０内の商品の破損や変形を防止することができる。
【００５７】
また、バケット３０の前方に前板３７を備えることで、棚１３ａ〜１３ｆから押し出された物品Ｃがバケット３０内に搬入される際に、物品Ｃがドア５の透明板１０に直接衝突することを防止して、透明板１０の保護を図ることができる。天板３２及び前板３７は透明あるいは半透明であるので、バケット３０内に物品Ｃが搬入される態様や、バケット３０による搬送時において物品Ｃを購入者が視認することを妨げることはない。なお、前板３７については、商品等のロゴを表示して広告に利用してもよい。また、前板３７は、少なくともバケット３０内に物品が搬入されたことが確認できる範囲で、表面に凹凸やステッカー等により模様も設けたりしてもよい。
【００５８】
図１１は、本体ユニット２の内部における冷却風の循環を説明するための縦断面図である。図１２は、本体ユニット２の前下内部における冷却風の循環を説明するための拡大縦断面図である。
【００５９】
図１１中の矢印で示すように、冷却機器の各機器を作動させ、下部ダクト２４内のファン２３ｅを作動させることで、蒸発器２３ｄを通過して冷却された冷却風が、下部ダクト２４から、後部ダクト２５、上部ダクト２６、バケット移動空間２１、そして下部ダクト２４の順番に冷却風が循環する。なお、後部ダクト２５の物品収納部６側に設けた図示しない通気口から冷却風の一部が棚１３ａ〜１３ｆの間を前方に移動して、棚１３ａ〜１３ｆに収納した物品を冷却する。
【００６０】
上部ダクト２６からバケット移動空間２１に冷却風が移動する際に、導風板２７によって冷却風はバケット移動空間２１の後部を下方に向けて移動するように導かれる。したがって、冷却風によって棚１３ａ〜１３ｆの前面にエアカーテンが形成される。これにより、冷却風がドア５の透明板１０に接触することが抑制され、ドア５の透明板１０の曇りを抑制することができる。
【００６１】
また、図１２に示すように、バックパネル２８の通気孔２８ｃは、バケット３０が待機・取出位置に位置する際に、天板３２の通気孔３６と相対するように配置されている。バケット移動空間２１の下部に到達した冷却風は、待機・取出位置に位置するバケット３０の天板３２の通気孔３６とバックパネル２８の通気孔２８ｃとを通過して、下部ダクト２４に流入する。これにより、冷却風の循環が維持される。
【００６２】
ここで、バケット３０が待機・取出位置に位置する際の天板３２とバックパネル２８によって、冷却風がバケット３０内に流入することが抑制される。これにより、冷却風の外部への漏れを低減させ、冷却効率を向上させることができるとともに、バケット３０内での結露の発生を抑制することができる。
【００６３】
更に、天板３２の前部には通気孔３６が設けられず、天板３２の後部に通気孔３６が設けられているので、バケット移動空間２１の下後部から循環風が下部ダクト２４に移動することになり、エアカーテンがバケット移動空間２１の後部に作成されることを助け、特にドア５の下部における透明板１０の曇りを抑制することができる。
【００６４】
また、バケット３０が待機・取出位置に位置する際に、天板３２が取出口シャッター１２の開扉に伴い押し上げられても、ストッパ４１によって天板３２の後部３２ａが最下段の棚１３ｆの前端部４２より上方に移動することが規制されるので、天板の後部３２ａと棚１３ｆの底板の前端部４２との間に大きな隙間が形成されることを抑制することができる。これにより、天板３２の通気孔３６を通過する冷却風の量より多い冷却風が、天板３２の後部３２ａと棚１３ｆの底板の前端部４２との間の隙間を通過することが抑制される。したがって、取出口シャッター１２を開いたときに、冷気が待機・取出位置にあるバケット３０及び物品取出口１１を経て外部へ流出することを抑制することができるとともに、外気がバケット移動空間２１や物品収納部６内に流入することを抑制することができる。
【００６５】
なお、本発明は上記の実施形態に限定するものではない。例えば、上記実施形態の物品販売機１は、冷却機器により物品収納部６に収納した物品を冷却するものであるが、ヒータ―等による加熱機器によって物品収納部６に収納した物品を加熱するものでもよい。あるいは、冷却機器及び加熱機器の両方を備え、キャビネット４の内部で加熱する区画と冷却する区画とで仕切った物品販売機であってもよい。例えば上段の棚（１３ａ及び１３ｂ等）を加熱し、下段の棚（１３ｃ〜１３ｆ等）を冷却する物品販売機に本発明を適用してもよい。
【００６６】
上下の棚で異なる温度に設定する物品販売機には、例えば特開２００７−１９３７２４号公報に示すように、バケット移動空間２１において温度の異なる区間の上下位置に断熱性を有する仕切り板（補助隔壁）を設ける必要がある。更に、仕切り板の下面にゴムパッキンを上方に押し付けて、仕切り板の上部の空間と下部の空間との間を密閉する構成になっている。したがって、このようにバケット移動空間２１に仕切り板を備えた物品販売機に、本実施形態のようにバケット３０の上方に天板３２を備えた場合には、バケット３０を仕切り板より上方に移動させる際に、天板３２によって仕切り板を上方に押して、天板３２とともに仕切り板を上方に移動させる構造となる。ここで、本実施形態のように、天板３２の後部３２ａが上方に傾斜していると、天板３２の後端部で仕切り板の後部を押すことになるので、軽い力で仕切り板を斜め上方に押し出して、バケット３０の移動を容易にすることができる。
【００６７】
また、飲料、お菓子、弁当等、各種物品を収納し販売する物品販売機に本発明を適用可能である。本発明は、上下方向に複数並べて備えられた棚から搬出される物品を、上下方向に移動するバケットで受けて取出口に搬送する構成の物品販売機に広く適用することができる。
【符号の説明】
【００６８】
１                物品販売機
２                本体ユニット
４                キャビネット
６                物品収納部
１１              物品取出口（取出口）
１３ａ〜１３ｆ    棚
１４              搬出機構
３０              バケット
３２              天板
３２ａ            後部
４０              ガイドスプリング（付勢部）
４１              ストッパ（移動規制部）
【図１】
2020035323.tif 000003
【図２】
2020035323.tif 000004
【図３】
2020035323.tif 000005
【図４】
2020035323.tif 000006
【図５】
2020035323.tif 000007
【図６】
2020035323.tif 000008
【図７】
2020035323.tif 000009
【図８】
2020035323.tif 000010
【図９】
2020035323.tif 000011
【図１０】
2020035323.tif 000012
【図１１】
2020035323.tif 000013
【図１２】
2020035323.tif 000014